(57)【特許請求の範囲】
【請求項１】
多方式操作可能なアルデヒド除去装置であって、
装置本体１と、蓄積機構２と、押圧機構３と、管収納機構４と、および管機構５とを含み
、
蓄積機構２は、装置本体１の内部に取付けられ、気体や液体を蓄積し、
押圧機構３は、装置本体１の下端に取付けられ、間欠的に蓄積機構２を押圧して、蓄積機
構２内の気体と液体をそれぞれ圧出し、押圧機構３は手動と足動という二種類の押圧操作
方式を有し、
管収納機構４は、装置本体１の上端に取付けられ管路を収納し、管機構５は管収納機構４
に取付けられ、且つ蓄積機構２に連通し、管機構５はそれぞれ蓄積機構２内の気体と液体
を排出する気端と液端を有する、
ことを特徴とする多方式操作可能なアルデヒド除去装置。
【請求項２】
蓄積機構２は、装置本体１に開設される集液室２１と、装置本体１の下端に開設される第
１溝と、第１溝内で上下摺動可能な圧板２２と、および圧板２２と第１溝内の底端との間
に配置されるエアバッグ２３とを含み、圧板２２と第１溝内の底面との間に複数個の第１
圧縮ばね２４が固定接続され、且つ複数個の第１圧縮ばね２４はエアバッグ２３の外側に
配置され、エアバッグ２３における圧板２２の反対側に一方向弁２３１が取付けられ、一
方向弁２３１は一方向に外部からエアバッグ２３に気体を進入させることができ、集液室
２１とエアバッグ２３との間にさらに連通管２５が接続され、連通管２５は装置本体１の
側壁を貫通し、連通管２５に第１出気口２５１と第２出気口２５２が設けられ、第１出気
口２５１と管機構５の気端とが相互に連通し、第２出気口２５２は第１出気口２５１の上
側に位置するとともに集液室２１の内部上側に連通し、装置本体１の外壁に集液室２１の
内部下側に連通する出液口２１１が固定接続され、出液口２１１の装置本体１と反対側の
一端が管機構５の液端に連通し、装置本体１の上端にさらに集液室２１内部に連通する出
液口２１２が固定接続される、ことを特徴とする請求項１に記載の多方式操作可能なアル
デヒド除去装置。
【請求項３】
押圧機構３は、足圧装置３１と手圧装置３２を具備し、足圧装置３１は装置本体１の下端
に接続され、足動で蓄積機構２を押圧して気体または液体を排出する操作を行うものとし
、手圧装置３２は足圧装置３１と装置本体１の間に接続され、手動で蓄積機構２を押圧し
て気体または液体を排出する操作を行うものとする、ことを特徴とする請求項１に記載の
多方式操作可能なアルデヒド除去装置。
【請求項４】
足圧装置３１は、装置本体１の下端に固定接続される一対の位置決めブロック３１１と、
一対の位置決めブロック３１１の間に回転自在に接続される圧杆３１２と、装置本体１の
下端に開設される第２溝と、および少なくとも１つの第１引張ばね３１３とを含み、第１
引張ばね３１３は第２溝内の底端と圧杆３１２の間に固定接続され、且つ位置決めブロッ
ク３１１の蓄積機構２と反対側に位置され、圧杆３１２の第１引張ばね３１３と反対側の
一端は蓄積機構２に接触し、圧杆３１２は位置決めブロック３１１を軸心として時計回り
に回転すると蓄積機構２を押圧する、ことを特徴とする請求項３に記載の多方式操作可能
なアルデヒド除去装置。
【請求項５】
手圧装置３２は、推板３２１と、推板３２１に開設される矩形孔３２２と、足圧装置３１
に固定接続される一対の伸縮杆３２３と、および一対の伸縮杆３２３の上端部間に固定さ
れる回転軸３２４とを含み、推板３２１に回転軸３２４が摺動する滑道３２５が開設され
、推板３２１は滑道３２５を通じて回転軸３２４の外端に接続され、推板３２１にさらに
、滑道３２５に連通するばね溝３２６が開設され、ばね溝３２６内の底端と回転軸３２４
との間に第２引張ばね３２７が固定接続され、第２引張ばね３２７が引張状態にあり且つ
第２引張ばね３２７が滑道３２５と矩形孔３２２の間に位置し、
手圧装置３２は、さらに装置本体１の側壁に開設される嵌挿溝を含み、嵌挿溝と推板３２
１の端部とが嵌合し、且つ矩形孔３２２が推板３２１の嵌挿溝と反対側に位置する、こと
を特徴とする請求項３に記載の多方式操作可能なアルデヒド除去装置。
【請求項６】
推板３２１と伸縮杆３２３の間にさらに位置決め装置３３が接続され、位置決め装置３３
によって推板３２１は鉛直状態にまで回転すると固定される、ことを特徴とする請求項５
に記載の多方式操作可能なアルデヒド除去装置。
【請求項７】
前記位置決め装置３３は、伸縮杆３２３の外端における回転軸３２４側に固定接続される
止めブロック３３３と、推板３２１の下端に開設される第３溝と、および前記第３溝内に
摺動接続される位置決め杆３３１とを含み、前記位置決め杆３３１と前記第３溝における
嵌挿溝側の内壁との間に第２圧縮ばね３３２が固定接続されており、前記位置決め杆３３
１は推板３２１の長手方向に沿って摺動可能であり、前記止めブロック３３３に前記位置
決め杆３３１を挿設する貫通穴が備えており、一対の位置決め杆３３１間にペダルが接続
されている、ことを特徴とする請求項６に記載の多方式操作可能なアルデヒド除去装置。
【請求項８】
止めブロック３３３は係合リングと固定ブロックより機構され、貫通穴は固定ブロックに
設置され、固定ブロックの装置本体１側の側面と係合リングの中心との間の距離が推板３
２１の厚度の二分の一と等しく、推板３２１が鉛直状態にまで回転すると固定ブロックに
より制限され回転できなくなる、ことを特徴とする請求項７に記載の多方式操作可能なア
ルデヒド除去装置。
【請求項９】
管収納機構４は、装置本体１の上端に固定される底座４１と底座４１の両端に固定接続さ
れる管収納杆４２を含み、管機構５は管収納杆４２の外端に巻きつけるとともに底座４１
を貫通して外部へ延伸する、ことを特徴とする請求項１に記載の多方式操作可能なアルデ
ヒド除去装置。
【請求項１０】
管機構５は、第１出気口２５１に連通する気管５１と、出液口２１１に連通する液管５２
とを有し、管収納機構４の上端に取付ブロック５６が係合接続され、取付ブロック５６の
上端に一対の移動管５３が固定接続され、一対の移動管５３がそれぞれ気管５１と液管５
２に固定接続され、移動管５３にバルブ５５が取付けられ、気管５１と液管５２がそれぞ
れ管収納機構４の両端に巻きつけて、管収納機構４と取付ブロック５６を順次に貫通する
、ことを特徴とする請求項２に記載の多方式操作可能なアルデヒド除去装置。
【発明の詳細な説明】
【技術分野】
【０００１】
本発明は、アルデヒド除去装置の領域に属し、特に多方式操作可能なアルデヒド除去装置
に関する。
【背景技術】
【０００２】
家具の生産においては、美観、滑らか、寿命延長、また腐敗困難などの要求を満すために
、家具の面にペンキを噴出塗布するのが一般的である。しかし、ペンキは人体に有害なホ
ルムアルデヒドを含む。ホルムアルデヒドは、無色で刺激性のあるガスで、目、鼻などに
刺激作用があり、人体と長時間接触するとホルムアルデヒデ中毒が発生してしまう。した
がって、従来では、ホルムアルデヒド含有ペンキが塗布された家具に、アルデヒド除去剤
の噴出操作を行うことが提出されている。
【０００３】
ところが、現時点では、そのまま噴出塗布することによってアルデヒド除去を行うことが
一般的に採用されている。家具工場には、ほこりが多くて、木くずなどが家具に積もる可
能性が高い。ほこりが多い場合、アルデヒド除去剤のアルデヒド除去効率をひどく影響す
る。これでいても、従来のアルデヒド除去装置は、いずれも単純なアルデヒド除去剤噴出
の機能を有するが、気体を吹出して家具面のホコリを拭き除くことはできない。
【発明の概要】
【０００４】
従来の技術における問題に対して、本発明は、多方式操作可能なアルデヒド除去装置を提
供することを目的とする。それによって、蓄積構成を冲圧する押圧構成を設けることによ
り、絶えずに蓄積構成内に気体を送込させて、蓄積構成内の気体やアルデヒド除去剤を噴
出させる。家具の面にアルデヒド除去剤をスプレーする前に塵土吹去操作を行うことによ
り、アルデヒドの除去効果を一層向上させる。また、押圧構成は手動押圧と足動押圧とい
う両種類の押圧方式があり、使用者が実際によって自ら選択して使用することができ、長
期間作業に適用する。
【０００５】
上記の問題を解決するために、本発明は下記の技術方案を採用する。
多方式操作可能なアルデヒド除去装置は、
装置本体と、蓄積機構と、押圧機構と、管収納機構と、および管機構とを含み、
蓄積機構は、装置本体の内部に取付けられ、気体や液体を蓄積し、
押圧機構は、装置本体の下端に取付けられ、間欠的に蓄積機構を押圧して、蓄積機構内の
気体と液体をそれぞれ圧出し、押圧機構は手動と足動という二種類の押圧操作方式を有し
、
管収納機構は、装置本体の上端に取付けられ管路を収納し、管機構は管収納機構に取付け
られ、且つ蓄積機構に連通し、管機構はそれぞれ蓄積機構内の気体と液体を排出する気端
と液端を有する。
【０００６】
好ましくは、蓄積機構は、装置本体に開設される集液室と、装置本体の下端に開設される
第１溝と、第１溝内で上下摺動可能な圧板と、および圧板と第１溝内の底端との間に配置
されるエアバッグとを含み、圧板と第１溝内の底面との間に複数個の第１圧縮ばねが固定
接続され、且つ複数個の第１圧縮ばねはエアバッグの外側に配置され、エアバッグにおけ
る圧板の反対側に一方向弁が取付けられ、一方向弁は一方向に外部からエアバッグに気体
を進入させることができ、集液室とエアバッグとの間にさらに連通管が接続され、連通管
は装置本体の側壁を貫通し、連通管に第１出気口と第２出気口が設けられ、第１出気口と
管機構５の気端とが相互に連通し、第２出気口は第１出気口の上側に位置するとともに集
液室の内部上側に連通し、装置本体の外壁に集液室の内部下側に連通する出液口が固定接
続され、出液口の装置本体と反対側の一端が管機構の液端に連通し、装置本体の上端にさ
らに集液室内部に連通する出液口が固定接続される。
【０００７】
好ましくは、押圧機構は、足圧装置と手圧装置を具備し、足圧装置は装置本体の下端に接
続され、足動で蓄積機構を押圧して気体または液体を排出する操作を行うものとし、手圧
装置は足圧装置と装置本体の間に接続され、手動で蓄積機構を押圧して気体または液体を
排出する操作を行うものとする。
【０００８】
好ましくは、足圧装置は、装置本体の下端に固定接続される一対の位置決めブロックと、
一対の位置決めブロックの間に回転自在に接続される圧杆と、装置本体の下端に開設され
る第２溝と、および少なくとも１つの第１引張ばねとを含み、第１引張ばねは第２溝内の
底端と圧杆の間に固定接続され、且つ位置決めブロックの蓄積機構と反対側に位置され、
圧杆の第１引張ばねと反対側の一端は蓄積機構に接触し、圧杆は位置決めブロックを軸心
として時計回りに回転すると蓄積機構を押圧する。
【０００９】
好ましくは、手圧装置は、推板と、推板に開設される矩形孔と、足圧装置に固定接続され
る一対の伸縮杆と、および一対の伸縮杆の上端部間に固定される回転軸とを含み、推板に
回転軸が摺動する滑道が開設され、推板は滑道を通じて回転軸の外端に接続され、推板に
さらに、滑道に連通するばね溝が開設され、ばね溝内の底端と回転軸との間に第２引張ば
ねが固定接続され、第２引張ばねが引張状態にあり且つ第２引張ばねが滑道と矩形孔の間
に位置し、
手圧装置は、さらに装置本体の側壁に開設される嵌挿溝を含み、嵌挿溝と推板の端部とが
嵌合し、且つ矩形孔が推板の嵌挿溝と反対側に位置する。
【００１０】
好ましくは、推板と伸縮杆の間にさらに位置決め装置が接続され、位置決め装置によって
推板は鉛直状態にまで回転すると固定される。
【００１１】
好ましくは、前記位置決め装置は、伸縮杆の外端における回転軸側に固定接続される止め
ブロックと、推板の下端に開設される第３溝と、および前記第３溝内に摺動接続される位
置決め杆とを含み、前記位置決め杆と前記第３溝における嵌挿溝側の内壁との間に第２圧
縮ばねが固定接続されており、前記位置決め杆は推板の長手方向に沿って摺動可能であり
、前記止めブロックに前記位置決め杆を挿設する貫通穴が備えており、一対の位置決め杆
間にペダルが接続されている。
【００１２】
好ましくは、止めブロックは係合リングと固定ブロックより機構され、貫通穴は固定ブロ
ックに設置され、固定ブロックの装置本体側の側面と係合リングの中心との間の距離が推
板の厚度の二分の一と等しく、推板が鉛直状態にまで回転すると固定ブロックにより制限
され回転できなくなる。
【００１３】
好ましくは、管収納機構は、装置本体の上端に固定される底座と底座の両端に固定接続さ
れる管収納杆を含み、管機構は管収納杆の外端に巻きつけるとともに底座を貫通して外部
へ延伸する。
【００１４】
好ましくは、管機構は、第１出気口に連通する気管と、出液口に連通する液管とを有し、
管収納機構の上端に取付ブロックが係合接続され、取付ブロックの上端に一対の移動管が
固定接続され、一対の移動管がそれぞれ気管と液管に固定接続され、移動管にバルブが取
付けられ、気管と液管がそれぞれ管収納機構の両端に巻きつけて、管収納機構と取付ブロ
ックを順次に貫通する。
【００１５】
従来の技術と比較して、本発明の以下の有利な効果がある。
一  本発明は蓄積構成を設置することにより、気体と液体を蓄積するとともに、気体が押
圧方式により絶えずに送り込んで補充することができる。
二  押圧構成を設けて、さらに手動押圧と足動押という両方式を備え流ので、使用者が実
際によって自ら選択して使用することができ、長期間作業に適用する。さらに足動押圧に
する場合において、手動装置を推し手として使用することができ、それにより使用者が本
発明装置を推動させることができる。
三  手動装置に位置決め装置を設けている。伸縮杆により手動装置内の推板を鉛直状に保
持する。これで使用者が下方向に手動装置を押圧する時において、直接に足圧装置に最大
の力を作用することができる。これにより足圧装置への押圧効果を確保する。
四  管収納装置を設けている。管構成のソフト・ハード結合利用に加えて、不使用際に各
管を収納することによって、整然とできる。また、使用際に引き取って使用するが、管の
長度範囲で任意の位置まで引き取ることもでき、柔軟性が高い。
五  両操作方式の交互使用という新たな創新思想を提供する。使用の効率が大きく上げら
れる。
【図面の簡単な説明】
【００１６】
【図１】本発明の構成図である。
【図２】図１のＡ箇所における構成図である。
【図３】図１のＢ箇所における構成図である。
【図４】本発明の管収納機構における側面の構成図である。
【図５】本発明の押圧機構の構造を示す斜視図である。
【図６】本発明の手圧装置の使用状態の構成図である。
【００１７】
［符号の説明］
２  蓄積構成
２１  集液室
２１１  出液口
２１２  出液口
２２  圧板
２３  エアバッグ
２３１  一方向弁
２４  第１圧縮ばね
２５  連通管
２５１  第１出気口
２５２  第２出気口
３  押圧構成
３１  足圧装置
３１１  位置決めブロック
３１２  圧杆
３１３  第１引張ばね
３２  手圧装置
３２１  推板
３２２  矩形孔
３２３  伸縮杆
３２４  回転軸
３２５  滑道
３２６  ばね溝
３２７  第２引張ばね
３３  位置決め装置
３３１  位置決め杆
３３２  第２圧縮ばね
３３３  止めブロック
４  管収納構成
４１  底座
４２  管収納杆
５  管構成
５１  気管
５２  液管
５３  移動管
５４  手持ちブロック
５５  バルブ
５６  取付ブロック
【発明を実施するための形態】
【００１８】
以下、本発明の実施形態の図面を参照して、本発明の実施形態における技術的態様を明確
かつ完全に説明する。明らかに、説明された実施形態は、本発明の一部の実施形態にすぎ
ない。全ての実施形態ではない。本発明における実施形態に基づき、当業者が創造的労働
をしないで獲得した他のすべての実施形態が本発明の保護範囲に属する。
【００１９】
実施例１
図１〜６に示されるように、多方式操作可能なアルデヒド除去装置は、装置本体１と、蓄
積構成２と、押圧構成３と、管収納構成４と、および管構成５とを含む。蓄積構成２は、
装置本体１の内部に取付けられ、気体や液体を蓄積する。押圧構成３は装置本体１  の下
端に取付けられ、間欠的に蓄積構成２を押圧して、蓄積構成２内の気体と液体をそれぞれ
圧出する。また、押圧構成３は手動と足動という両種類の押圧操作方式を有する。管収納
構成４は装置本体１の上端に取付けられ、管路を収納する。管構成５は管収納構成４に取
付けられ、且つ蓄積構成２に連通する。管構成５はそれぞれ蓄積構成２内の気体と液体を
排出する気端と液端を有する。
【００２０】
図１〜２に示されるように、蓄積構成２は装置本体１に開設される集液室２１と、装置本
体１の下端に開設される第１溝と、第１溝内で上下摺動可能な圧板２２と、および圧板２
２と第１溝内の底端との間に配置されるエアバッグ２３とを含む。第１溝は集液室２１の
下側に位置する。第１溝の開口における幅が第１溝の底面の幅より小さく、且つ圧板２２
の断面がＴ字状の構成とすることにより、圧板２２の脱離を防止することができる。圧板
２２と第１溝内の底面との間に複数個の第１圧縮ばね２４が固定接続され、且つ複数個の
第１圧縮ばね２４はエアバッグ２３との間に隙間があるようにエアバッグ２３の外側に配
布される。これによりエアバッグ２３は、第１圧縮ばね２４の伸縮に影響を与えることが
ないようにできる。エアバッグ２３における圧板２２の反対側に一方向弁２３１が取付け
られる。該一方向弁２３１は一方向に外部からエアバッグ２３に気体を進入させることが
でき、容易に外部へ流出させることができない。集液室２１とエアバッグ２３との間にさ
らに連通管２５が接続される。連通管２５は装置本体１の側壁を貫通する。連通管２５に
第１出気口２５１と第２出気口２５２が設けられる。第１出気口２５１と管構成５の気端
とが相互に連通する。第２出気口２５２は第１出気口２５１の上側に位置するとともに集
液室２１の内部上側に連通する。装置本体１の外壁に集液室２１の内部下側に連通する出
液口２１１が固定接続される。出液口２１１と集液室２１の底面が面一することにより、
集液室２１内の液体を充分に排出することができる。出液口２１１の装置本体１と反対側
の一端が管構成５の液端に連通する。装置本体１の上端にさらに集液室２１内部に連通す
る出液口２１２が固定接続される。出液口２１２に密閉的に蓋が接続される。蓋により出
液口２１２を密閉しているに際しては、間接的に外界へ連通させる通路である第２出気口
２５２と出液口２１１以外、集液室２１は、他の連通可能な通路を有しなく、相対的に密
閉的な空間を構成する。
【００２１】
図５に示されるように、押圧構成３は足圧装置３１と手圧装置３２を具備する。足圧装置
３１は装置本体１の下端に接続され、足動で蓄積構成２を押圧して気体または液体を排出
する操作を行うものとする。手圧装置３２は足圧装置３１と装置本体１の間に接続され、
手動で蓄積構成２を押圧して気体または液体を排出する操作を行うものとする。
【００２２】
図１に示されるように、足圧装置３１は装置本体１の下端に固定接続される一対の位置決
めブロック３１１と、一対の位置決めブロック３１１の間に回転自在に接続される圧杆３
１２と、装置本体１の下端に開設される第２溝と、および少なくとも１つの第１引張ばね
３１３とを含む。第１引張ばね３１３は第２溝内の底端と圧杆３１２の間に固定接続され
、且つ位置決めブロック３１１の蓄積構成２と反対側に位置される。圧杆３１２の第１引
張ばね３１３と反対側の一端は、蓄積構成２に接触するが、具体的に圧板２２の下端中部
に接触する。圧杆３１２は位置決めブロック３１１を軸心として時計順に回転すると蓄積
構成２を押圧するように構成される。
【００２３】
図１と３に示されるように、手圧装置３２は、推板３２１と、推板３２１に開設される矩
形孔３２２と、足圧装置３１に固定接続される一対の伸縮杆３２３と、および一対の伸縮
杆３２３の上端部間に固定される回転軸３２４とを含む。推板３２１に、回転軸３２４が
摺動する滑道３２５が開設される。推板３２１は滑道３２５により回転軸３２４の外端に
接続される。推板３２１にさらに、滑道３２５に連通するばね溝３２６が開設される。ば
ね溝３２６内の底端と回転軸３２４との間に第２引張ばね３２７が固定接続される。ばね
溝３２６の幅はわずかに、第２引張ばね３２７より大きく、滑道３２５の幅より小さく、
回転軸３２４の直径がばね溝３２６の幅より大きくすることにより、回転軸３２４が容易
にばね溝３２６に入ることができない。回転軸３２４がばね溝３２６に最も接近する位置
に位置するときは、第２引張ばね３２７が引張状態にあり且つ第２引張ばね３２７が滑道
３２５と矩形孔３２２の間に位置するようである。手圧装置３２はさらに装置本体１の側
壁に開設される嵌挿溝を含む。嵌挿溝と推板３２１の端部とが嵌合する。嵌挿溝の溝深は
十分で、且つ当業者によって設置可能とする。これにより嵌挿溝内に推板３２１の端部が
挿入されてなると、推板３２１は触れられたら容易に脱離することなく、且つ矩形孔３２
２が推板３２１の嵌挿溝と反対側に位置する。
【００２４】
図３と図５に示されるように、推板３２１と伸縮杆３２３の間にさらに位置決め装置３３
が接続される。位置決め装置３３によって推板３２１は鉛直状態に回転すると固定され得
る。これにより推板３２１を握って圧下する時に、直接に足圧装置３１に最大の力を作用
することができる。これにより、さらに有効に足圧装置３１への押圧効果を保証すること
ができる。位置決め装置３３は、伸縮杆３２３の外端における回転軸３２４側に固定接続
される止めブロック３３３と、推板３２１の下端に開設される第３溝と、および第３溝内
に摺動可能に接続される位置決め杆３３１とを含む。伸縮杆３２３は内杆と外套筒により
構成される。止めブロック３３３は内杆の外端に固定されており、回転軸３２４と同期に
鉛直方向に沿って移動することができる。位置決め杆３３１と第３溝の嵌挿溝側の内壁と
の間に第２圧縮ばね３３２が固定接続される。位置決め杆３３１の先部はＬ字状の構成で
、末部は第２圧縮ばね３３２との接続がＴ字状の構成を呈している。それと合わせて第３
溝の断面がＴ字状とする。これにより位置決め杆３３１が推板３２１の長手方向に沿って
摺動することができ、容易に第３溝内から脱出することがない。止めブロック３３３に位
置決め杆３３１が挿設する貫通穴が備えられる。一対の位置決め杆３３１の間にペダルが
接続される。第２圧縮ばね３３２が自然状態でありながら回転軸３２４を円心として円を
描くと、位置決め杆３３１がちょうど止めブロック３３３とともに該円の軌道に位置する
ようにできる。即ち位置決め杆３３１がちょうど止めブロック３３３上の貫通穴内に挿設
するようにできる。止めブロック３３３は係合リングと固定ブロックより構成される。貫
通穴は固定ブロックに設置される。固定ブロックの装置本体１側の側面と係合リングの中
心との間の距離が推板３２１の厚度の二分の一と等しくすることにより、推板３２１が鉛
直状態に回転すると固定ブロックにより制限されるようになり、さらに回転できなくなる
。
【００２５】
図４に示されるように、管収納構成４は、装置本体１の上端に固定される底座４１と底座
４１の両端に固定接続される管収納杆４２を含む。管構成５は管収納杆４２の外端に巻き
つけるとともに底座４１を貫通して外部へ延伸する。管構成５は第１出気口２５１に連通
する気管５１と、出液口２１１に連通する液管５２とを有する。管収納構成４の上端に取
付ブロック５６が係合接続される。具体的に、取付ブロック５６はＴ字状を呈して、その
底座４１に係溝が開設される。これにより取付ブロック５６を挿設係接する。取付ブロッ
ク５６の上端に一対の移動管５３が固定接続される。一対の移動管５３がそれぞれ気管５
１と液管５２に固定接続される。移動管５３にバルブ５５が取付けられる。バルブ５５に
より気体または液体の流通・遮断をコントロールする。気管５１と液管５２がそれぞれ管
収納構成４の両端に巻きつけて、且つ底座４１を界として、気管５１と液管５２はいずれ
も管収納構成４と取付ブロック５６を順次に貫通する。また、移動管５３はハード材とし
、気管５１と液管５２はソフト材とする。液管５２に接続する移動管５３の端口位置に、
霧化ヘッドが取付けられることにより、アルデヒド除去剤を細かい顆粒に分散して排出す
ることができる。
【００２６】
本発明の動作原理について説明する。押圧構成３は足動押圧とする場合、まずバルブ５５
を開弁する。そして使用者が杆３１２の伸縮杆３２３側にある一端を踏んで圧押する（図
５の矢印３１が示す箇所に示されるように）と、圧杆３１２と位置決めブロック３１１の
枢動点を円心として圧杆３１２が時計順に回動させられ、圧杆３１２の他端により圧板２
２を押上する。圧板２２が上移すると、エアバッグ２３が押圧させられる。これによりエ
アバッグ２３内の気体を押出して連通管２５に進入させる。まず気端のバルブ５５を開け
て、エアバッグ２３内の気体を第１出気口２５１を介して気管５１に進入させる。そして
気体を移動管５３により噴出して、家具面における塵土を吹去する。それから気端を閉じ
て液端バルブ５５を開けて、エアバッグ２３内の気体を第２出気口２５２を介して集液室
２１に進入させる。これにより集液室２１上方の空気を増加させる。気圧が大きくなると
集液室２１内に蓄積したアルデヒド除去剤液を押圧するようになる。これでアルデヒド除
去剤が出液口２１１から押出され液管５２に進入させられ、最後に他の移動管５３から家
具の面に噴出される。注意すべきのは、この場合では、出液口２１２が密閉状態にあるべ
きであり、さもなければ外部へ露出してしまって使用効果を影響する。使用者が間欠的に
足踏み操作を施すと、エアバッグ２３が間欠的に押圧されるようになる。エアバッグ２３
内の気体が、押出されたら一方向弁２３１を介して絶えずに補充される。なお、推板３２
１は図１に示す状態にあるので、推し手として使用でき、本装置の推動に便利である。
しかし、上述の足動押圧方式によっては、使用者が足を上げて操作すべきであるので、時
間が経つと足酸を感じるはずである。こうなったときに、手動押圧操作に切換えてもよい
。押圧構成３は手動押圧操作とする場合は、上述したのと異なるのが、使用者がバルブ５
５を開けるには、まず推板３２１を装置本体１の反対側に移動させ、推板３２１の端部を
嵌挿溝内から引き出し、そして回転軸３２４を軸心として推板３２１が止めブロック３３
３に制限されて図６に示される鉛直状態に止まるまで推板３２１を反時計順に回動させる
ことにある。ここで、回動期間にわたってペダルを踏むべきであり、即ち図５上方の充填
領域に示されるように、位置決め杆３３１を下向きに止めブロック３３３の下方まで移動
させることにより、推板３２１が鉛直状に回動すると位置決め杆３３１が止めブロック３
３３内に挿入するようになるとともに、挿入したとできたら再びペダルを踏まないと、推
板３２１を再び回動させ難いのである。このときは、推板３２１と伸縮杆３２３を鉛直状
に保持しながら、推板３２１を押下して、伸縮杆３２３を最短限まで圧縮させるまで押下
すると続いて押下したら、圧杆３１２を時計順に回動させ始める。
【００２７】
使用者が取付ブロック５６を底座４１から取り外すこともできる。管収納杆４２に巻きつ
けている気管５１と液管５２を数周り緩めて、手持ちブロック５４を握って一対の移動管
５３の噴出口をアルデヒド除去剤の噴出相手家具に位置合わせさせてもよい。
【００２８】
以上で述べたのは、本発明のより良い実施形態のみである。しかし、本発明の範囲はこれ
に限定されるものではない。本技術分野に詳しい技術者は、本発明が属する技術の範囲内
にある、本発明による技術的なスキームおよびその改善の考え方、同等の置き換えまたは
変更が、本発明の範囲内に含まれるべきであると理解すべきである。
【要約】      （修正有）【課題】絶えず気体やアルデヒド除去剤を噴出させることができ、ほこり等が積もった家具などにも効果を与えることが可能な、アルデヒド除去装置の提供。【解決手段】本発明の多方式操作可能なアルデヒド除去装置は、装置本体１と、蓄積機構と、押圧機構と、管収納機構４と、および管機構５とを含み、蓄積機構は、装置本体の内部に取付けられ、気体や液体を蓄積し、押圧機構は、装置本体の下端に取付けられ、間欠的に蓄積機構を押圧して、蓄積機構内の気体と液体をそれぞれ圧出し、押圧機構は手動３２と足動３１という二種類の押圧操作方式を有し、管収納機構は、装置本体の上端に取付けられ管路を収納し、管機構は管収納機構に取付けられ、且つ蓄積機構に連通し、管機構はそれぞれ蓄積機構内の気体と液体を排出する気端と液端を有する。【選択図】図１【図１】
0006834074.tif 000002
【図２】
0006834074.tif 000003
【図３】
0006834074.tif 000004
【図４】
0006834074.tif 000005
【図５】
0006834074.tif 000006
【図６】
0006834074.tif 000007